(57)【要約】【課題】印字ヘッドの位置を帳票の印字位置に容易に合わせることができるようにする。【解決手段】帳票を搬送しながら読取り、該帳票のイメージデータを生成する読取部２１と、読取部２１で読み取った帳票に印字する印字ヘッドを備えた印字部２２と、その印字ヘッドの適正位置を撮影した印字部２２のイメージデータを記憶する記憶部３３とを有し、印字部２２で印字された帳票を読取部２１で読み取って生成された帳票のイメージデータと、記憶部３３に記憶された印字部２２のイメージデータとを同一画面に表示する。【選択図】        図１
2014162193.tif 000002
【特許請求の範囲】
【請求項１】
帳票を搬送しながら読取り、該帳票のイメージデータを生成する帳票読取手段と、
前記帳票読取手段で読み取った前記帳票に印字する印字ヘッドを備えた印字手段と、
前記印字ヘッドの適正位置を撮影した前記印字手段のイメージデータを記憶する記憶手段とを有し、
前記印字手段で印字された帳票を前記帳票読取手段で読み取って生成された前記帳票のイメージデータと、前記記憶部に記憶された前記印字手段のイメージデータとを同一画面に表示することを特徴とする帳票処理システム。
【請求項２】
請求項１に記載の帳票処理システムにおいて、
前記帳票読取手段で読み取って生成された前記帳票のイメージデータの端部と、前記記憶部に記憶された前記印字手段のイメージデータの端部とを一致させて同一画面に表示することを特徴とする帳票処理システム。
【請求項３】
請求項１または請求項２に記載の帳票処理システムにおいて、
前記印字手段のイメージデータは、前記帳票の搬送方向と略直交する方向に配置された目盛りを含むことを特徴とする帳票処理システム。
【請求項４】
帳票を搬送しながら読取り、該帳票のイメージデータを生成する帳票読取手段と、
前記帳票読取手段で読み取った前記帳票に印字する印字ヘッドを備えた印字手段と、
前記印字ヘッドの適正位置を撮影した前記印字手段のイメージデータを記憶する記憶手段と、
前記記憶手段に記憶した前記印字手段のイメージデータを前記印字手段の大きさと同じ大きさで印刷するイメージデータ印刷手段とを有することを特徴とする帳票処理システム。
【請求項５】
請求項１から請求項４のいずれか１項に記載の帳票処理システムにおいて、
前記印字手段は、前記帳票の搬送方向と略直交する方向に移動することなく、搬送される該帳票に対して印字を行う印字ヘッドを備えたことを特徴とする帳票処理システム。
【請求項６】
請求項１から請求項５のいずれか１項に記載の帳票処理システムにおいて、
前記記憶手段に記憶した前記印字手段のイメージデータを前記印字手段の大きさと同じ大きさで印刷するイメージデータ印刷手段を有することを特徴とする帳票処理システム。
【請求項７】
請求項１から請求項６のいずれか１項に記載の帳票処理システムにおいて、
前記帳票読取手段と、前記印字手段とを帳票読取装置に備え、
前記記憶手段を補正端末に備え、
前記帳票読取装置と前記補正端末とが通信回線で通信可能に接続されていることを特徴とする帳票処理システム。
【発明の詳細な説明】
【技術分野】
【０００１】
本発明は、読み取った帳票に印刷を行う帳票処理システムに関する。
【背景技術】
【０００２】
従来の帳票処理システムは、帳票を搬送しながら当該帳票の画像データをスキャナで読取り、読取った帳票の所定の位置に文字等を印字部で印刷するものがあり、その印字部は帳票の搬送方向と直交する水平方向に自律的に移動することなく静止した印字ヘッドを備え、搬送される帳票にドットピンを当接させて印字するものがある。
【０００３】
また、読み取る帳票としてのフォーム用紙の特定の位置を予め測定しておき、画像入力装置でそのフォーム用紙を読み込ませた後、先の測定位置を画面上に表示し、そこにカーソルを移動させ、併せて、そのカーソルの用紙上の位置をディスプレイ上に表示し、カーソル位置と測定位置が異なる場合、カーソル位置を測定位置に替えるずれ分を数値で入力指示し、指示されたずれ分を考慮して印字部の印字ヘッドを自律的に移動させて印字位置を補正するものがある（例えば、特許文献１参照）。
【先行技術文献】
【特許文献】
【０００４】
【特許文献１】特開平５−６６９０４号公報（段落「００１６」〜段落「００２４」、図１）
【発明の概要】
【発明が解決しようとする課題】
【０００５】
しかしながら、上述した従来の技術においては、水平方向に自律的に移動することなく静止した印字ヘッドで搬送される帳票に印字する場合、印字ヘッドの水平方向の位置を帳票の印刷位置に合わせる必要があり、操作者の操作が煩雑になるという問題がある。
本発明は、このような問題を解決することを課題とし、印字ヘッドの位置を帳票の印字位置に容易に合わせることができるようにすることを目的とする。
【課題を解決するための手段】
【０００６】
そのため、本発明は、帳票を搬送しながら読取り、該帳票のイメージデータを生成する帳票読取手段と、前記帳票読取手段で読み取った前記帳票に印字する印字ヘッドを備えた印字手段と、前記印字ヘッドの適正位置を撮影した前記印字手段のイメージデータを記憶する記憶手段とを有し、前記印字手段で印字された帳票を前記帳票読取手段で読み取って生成された前記帳票のイメージデータと、前記記憶部に記憶された前記印字手段のイメージデータとを同一画面に表示することを特徴とする。
【発明の効果】
【０００７】
このようにした本発明は、印字ヘッドの位置を帳票の印字位置に容易に合わせることができるという効果が得られる。
【図面の簡単な説明】
【０００８】
【図１】第１の実施例における帳票読取装置および補正端末の構成を示すブロック図
【図２】第１の実施例における帳票処理システムの構成を示すブロック図
【図３】第１の実施例における帳票読取装置の構成を示す説明図
【図４】第１の実施例における印字ヘッド適正位置表示処理の流れを示すフローチャート
【図５】第１の実施例における印字ヘッド適正位置表示画面の説明図
【図６】第２の実施例における帳票処理システムの構成を示すブロック図
【図７】第２の実施例における印字ヘッドの適正位置を示す写真イメージの説明図
【図８】第２の実施例における印字ヘッド適正位置の説明図
【発明を実施するための形態】
【０００９】
以下、図面を参照して本発明による帳票処理システムの実施例を説明する。
【実施例１】
【００１０】
図２は第１の実施例における帳票処理システムの構成を示すブロック図である。
図２において、読み取った帳票に印刷を行う帳票処理システム１は、帳票を読取り、読取った帳票の所定の位置に印字を行う帳票読取装置２と、帳票読取装置２の印字位置を補正するための処理を行う補正端末３と、帳票読取装置２で読取った帳票のイメージデータを保管する帳票データベース５を備えたサーバ（コンピュータ）４とにより構成され、帳票読取装置２、補正端末３およびサーバ４は通信回線７を介して通信可能に接続されている。なお、本実施例では、補正端末３とサーバ４を独立した装置として説明するが、補正端末３とサーバ４とをひとつの装置で構成するようにしても良く、またサーバ４が存在しない構成であっても良い。また、帳票読取装置２と補正端末３とは通信回線７を介して通信するように記載したが、帳票読取装置２と補正端末３とがＵＳＢ（Ｕｎｉｖｅｒｓａｌ  Ｓｅｒｉａｌ  Ｂｕｓ）等の手段で直接接続されていても良い。
【００１１】
図１は第１の実施例における帳票読取装置および補正端末の構成を示すブロック図である。
図１において、帳票読取装置２は、帳票を搬送しながら読取り、その帳票のイメージデータを生成する帳票読取手段としての読取部２１と、読取った帳票の所定の位置に印字を行う印字手段としての印字部２２と、磁気ディスク、半導体メモリ等の記憶手段としての記憶部２３と、ＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｉｎｇ  Ｕｎｉｔ）等で構成された演算および制御手段としての制御部２４とを備えている。
【００１２】
読取部２１は、帳票を光学的に読取り、帳票のイメージデータを生成するスキャナを備え、帳票載置部に載置された帳票を１枚ずつ給紙および搬送して取り込み、帳票搬送路に沿って搬送される帳票をスキャナで読取って帳票のイメージデータを生成する。
印字部２２は、読取部２１で読み取った帳票の搬送方向と略直交する方向に移動することなく静止した状態で、搬送される帳票に印字するドットインパクト方式の印字ヘッド２２ａを備え、帳票搬送路２５に沿って搬送される帳票にインクリボンを介してドットピンを突出させて当接させることにより文字等を印刷するものである。
【００１３】
この印字部２２の印字ヘッド２２ａは、図３に示すように、図中矢印Ａが示す帳票の搬送方向と略直交する図中矢印Ｂが示す水平方向に、制御部２４による制御により自律的に移動することなく静止した状態で、搬送される帳票に対して印刷を行う。
したがって、帳票の水平方向における印字位置は操作者の操作により印字ヘッドが移動されて決定されるものとし、操作者は印字部に設けられた目盛りを参照しながら印字ヘッドの位置を調整するものとする。
なお、印字部２２は、読取部２１で読取った帳票のおもて面（読取った面）または裏面（読取った面の反対面）のいずれかの面に印刷するものとする。
【００１４】
記憶部２３は、読取部２１で読取った帳票のイメージデータや帳票読取装置２全体の動作を制御するための制御プログラム（ソフトウェア）等を記憶する。
制御部２４は、記憶部２３に記憶された制御プログラムに基づいて帳票読取装置２全体の動作を制御する。
このように構成された帳票読取装置２は、通信回線７に接続され、他の装置と相互に通信可能に接続されており、補正端末３の指示に従って、制御部２４が帳票読取装置２の各部を制御し動作する。
【００１５】
補正端末３は、液晶ディスプレイ等の表示手段を備えた表示部３１と、キーボード、マウス、タッチパネル等の入力手段を備えた入力部３２と、磁気ディスク、半導体メモリ等の記憶手段としての記憶部３３と、ＣＰＵ、ＭＰＵ等で構成された演算および制御手段としての制御部３４とを備えるパーソナルコンピュータ等である。
記憶部３３は、表示部３１に表示する画面データや補正端末３全体の動作を制御するための制御プログラム（ソフトウェア）等を記憶する。また、記憶部３３には、予め図３に示す帳票読取装置２の印字ヘッド２２ａの適正位置を撮影した印字部２２の写真のイメージデータが記憶されている。
制御部３４は、記憶部３３に記憶された制御プログラムに基づいて補正端末３全体の動作を制御する。
【００１６】
このように構成された補正端末３は、通信回線７に接続され、他の装置と相互に通信可能に接続され、帳票読取装置２から受信した帳票のイメージデータを表示部３１に表示することができ、また記憶部３３に記憶された画像データとしての印字部２２の写真のイメージデータを表示部３１に表示することができるようになっており、印字部２２で印字された帳票を読取部２１で読み取って生成された帳票のイメージデータと、記憶部３３に記憶された印字部２２の写真のイメージデータとを同一画面に表示する。
【００１７】
上述した構成の作用について説明する。
帳票処理システムが行う帳票読取装置の印字ヘッド適正位置表示処理を図４の第１の実施例における印字ヘッド適正位置表示処理の流れを示すフローチャートの図中Ｓで表すステップにしたがって図１および図３を参照しながら説明する。
まず、帳票読取装置２の読取部２１は帳票を読取り、印字部２２は読取部２１で読取りが完了した帳票に対して通番等の文字を印刷するものとする。
【００１８】
Ｓ１：操作者は、文字が印刷された帳票の面を読取るように、帳票を帳票読取装置２の帳票載置部に載置し、帳票読取装置２の読取部２１は、帳票載置部に載置された帳票を１枚ずつ給紙および搬送して取り込み、搬送される帳票をスキャナで読取って帳票のイメージデータを生成し、記憶部２３に記憶する。
Ｓ２：補正端末３の制御部３４は、帳票読取装置２に読取った帳票のイメージデータを要求する指令を送信し、その指令を受信した帳票読取装置２は記憶部２３に記憶した帳票のイメージデータを補正端末３に送信する。補正端末３の制御部３４は、帳票読取装置２から受信した帳票のイメージデータを表示部３１に表示する。
【００１９】
Ｓ３：また、補正端末３の制御部３４は、記憶部３３に予め登録されている帳票読取装置２の印字ヘッド２２ａの適正位置を示す写真イメージデータを、Ｓ２において表示した帳票のイメージデータとともに表示する印字ヘッド適性位置表示画面を表示部３１に表示する。
表示部３１に表示する印字ヘッド適性位置表示画面は、例えば図５に示す印字ヘッド適性位置表示画面４０であり、読取った帳票のイメージデータを領域４１に表示するとともに、記憶部３３に予め登録されている帳票読取装置２の印字ヘッド２２ａの適正位置を示す印字部２２の写真イメージデータを領域４２に表示する画面である。
【００２０】
図５において、帳票のイメージデータの領域４１には、通番等の印字４１ａが表示され、また帳票読取装置２の印字ヘッドの適正位置を示す写真イメージデータの領域４２には、印字ヘッド４２ａおよび印字ヘッド４２ａの位置を表す目盛り４２ｂが表示され、領域４１の水平方向における端部（帳票の端部）と領域４２の水平方向における端部（印字部２２の帳票搬送路２５の端部）とが一致するように表示される。なお、図５に示す例では、帳票の印字位置と印字ヘッド４２ａの適正位置とのズレが距離Ｄであることを示している。
【００２１】
このように、補正端末３の制御部３４は、帳票読取装置２の読取部２１で読み取って生成された帳票のイメージデータの端部と、記憶部３３に記憶された帳票読取装置２の印字部２２のイメージデータの端部とを一致させて同一画面として表示部３１に表示する。また、帳票読取装置２の印字部２２のイメージデータには、帳票の搬送方向と略直交する方向に配置された目盛りを含んでいる。
【００２２】
操作者は、補正端末３の表示部３１に表示された印字ヘッド適性位置表示画面の目盛りを参照して適正な印字ヘッド２２ａの位置を把握し、帳票読取装置２の印字部２２の印字ヘッド２２ａを印字部２２に配置された目盛りを参照しながら水平方向に移動させて印字ヘッドの位置を適正な位置に補正する。
【００２３】
このように、補正端末３は、帳票読取装置２で読取った帳票のイメージデータにおける文字の印字位置と、予め登録されている帳票読取装置２の印字ヘッド２２ａの適正位置とを同一の画面で帳票の端部と印字部２２の帳票搬送路２５の端部とを一致させて表示部３１に表示するようにしたことにより、操作者は帳票の文字の印字位置と印字ヘッド２２ａの位置のズレを視覚的に認識することができ、印字ヘッド２２ａの位置を帳票の印字位置に容易に合わせることができるようになる。
【００２４】
なお、本実施例では、帳票読取装置２の印字部２２の印字ヘッド２２ａは自律的に移動することなく静止した状態で印字を行うものとして説明したが、印字ヘッド２２ａが自律的に移動できる構成とした場合、補正端末３は図５に示す帳票の印字位置と印字ヘッド４２ａの適正位置とのズレである距離Ｄを算出して帳票読取装置２へ距離Ｄだけ印字ヘッド２２ａを移動させる指令を送信し、帳票読取装置２の印字部２２の印字ヘッド２２ａを距離Ｄだけ移動するようにしてもよい。
以上説明したように、第１の実施例では、操作者は帳票の文字の印字位置と印字部の印字ヘッドの位置のズレを視覚的に認識することができ、印字ヘッドの位置を帳票の印字位置に容易に合わせることができるという効果が得られる。
【実施例２】
【００２５】
第２の実施例の構成は、第１の実施例における帳票処理システムに帳票読取装置の印字部の写真イメージデータを印刷するプリンタを追加したものとしている。
図６は第２の実施例における帳票処理システムの構成を示すブロック図である。なお、上述した第１の実施例と同様の部分は、同一の符号を付してその説明を省略する。
図６において、帳票処理システム１は、帳票読取装置２と、補正端末３と、帳票データベース５を備えたサーバ４と、帳票読取装置２の印字部の写真イメージデータを印刷するイメージデータ印刷手段としてのプリンタ６とにより構成され、帳票読取装置２、補正端末３、サーバ４およびプリンタ６は通信回線７を介して通信可能に接続されている。
【００２６】
プリンタ６は、図１に示す帳票読取装置２の印字部２２の写真イメージデータを印字部２２の大きさと同じ大きさである原寸の大きさ（以下、「原寸大」という。）で印刷するものであり、補正端末３の制御部３４の指令により記憶部３３に予め登録されている帳票読取装置２の印字ヘッドの適正位置を示す写真イメージデータを原寸大で印刷する。
このように構成されたプリンタ６は、通信回線７に接続され、他の装置と相互に通信可能に接続されている。
【００２７】
上述した構成の作用について説明する。
帳票処理システムが行う帳票読取装置の印字ヘッド適正位置表示処理を図６に基づいて図１を参照しながら説明する。
補正端末３の制御部３４は、記憶部３３に予め登録されている帳票読取装置２の印字ヘッドの適正位置を示す写真イメージデータをプリンタ６で帳票読取装置２の帳票搬送路の水平方向の幅と同じ幅を有する用紙に原寸大で印刷する。
プリンタ６で印刷される写真イメージデータは、例えば図７に示す写真イメージ６０であり、記憶部３３に予め登録されている帳票読取装置２の印字ヘッドの適正位置を示す写真のイメージデータを原寸大で印刷したものである。
【００２８】
図７において、印刷された写真イメージ６２には、印字ヘッド６２ａおよび印字ヘッド６２ａの位置を表す目盛り６２ｂが原寸大で印刷される。
操作者は、図８に示すように、印刷された帳票読取装置２の印字ヘッドの適正位置を示す写真イメージ６２の水平方向（図中矢印Ｂが示す方向）の端部と帳票読取装置２の帳票搬送路２５の水平方向の端部とを合わせ、帳票読取装置２の印字部２２の印字ヘッド２２ａを写真イメージ６２の印字ヘッド６２ａの位置に合わせるように水平方向に移動させて印字ヘッド２２ａの位置を適正な位置に補正する。
【００２９】
このように、補正端末３の制御部３４は、記憶部３３に予め登録されている帳票読取装置２の印字ヘッドの適正位置を示す写真イメージデータを写真イメージとしてプリンタ６で帳票読取装置２の帳票搬送路の水平方向の幅と同じ幅を有する用紙に原寸大で印刷するようにしたことにより、操作者は、印刷された帳票読取装置２の印字ヘッドの適正位置を示す写真イメージの水平方向の端部と、帳票読取装置２の帳票搬送路２５の水平方向の端部とを合わせ、帳票読取装置２の印字部２２の印字ヘッド２２ａを写真イメージの印字ヘッドの位置に合わせるように水平方向に移動させて印字ヘッド２２ａの位置を適正な位置に容易に補正することができる。
【００３０】
以上説明したように、第２の実施例では、印刷された帳票読取装置の印字ヘッドの適正位置を示す写真イメージの水平方向の端部と、帳票読取装置の帳票搬送路の水平方向の端部とを合わせ、帳票読取装置の印字部の印字ヘッドを写真イメージの印字ヘッドの位置に合わせるように水平方向に移動させて印字ヘッドの位置を適正な位置に容易に補正することができるという効果が得られる。
また、帳票読取装置で読み取った帳票に印字できない場合であっても、他の印刷装置で帳票読取装置の印字ヘッドの適正位置を示す写真イメージを印刷することにより、帳票読取装置の印字ヘッドの位置を適正な位置に容易に補正することができるという効果が得られる。
【００３１】
なお、第１の実施例の構成と第２の実施例の構成を組み合わせることも可能である。
また、上記第１および第２の実施例では、印字部は帳票の搬送方向に略直交する方向に対して静止した状態で、搬送される帳票に印字するドットインパクト方式の印字ヘッド２２ａを備えるものと記載したが、本発明はそれに限定されない。印字に伴って印字ヘッドが移動するものであっても、ホームポジション等ある特定した位置に印字ヘッドを移動した状態で、操作者は印字部に設けられた目盛りを参照しながら印字ヘッドの位置を調整するものとするように構成しても良い。
【符号の説明】
【００３２】
１    帳票処理システム
２    帳票読取装置
３    補正端末
４    サーバ
５    帳票データベース
６    プリンタ
７    通信回線
２１  読取部
２２  印字部
２３、３３  記憶部
２４、３４  制御部
３１  表示部
３２  入力部
【図１】
2014162193.tif 000003
【図２】
2014162193.tif 000004
【図３】
2014162193.tif 000005
【図４】
2014162193.tif 000006
【図５】
2014162193.tif 000007
【図６】
2014162193.tif 000008
【図７】
2014162193.tif 000009
【図８】
2014162193.tif 000010